(57)【要約】      （修正有）【課題】従来の独楽形の回転軸の技術によれば、独楽形自体の安定した独楽様の回転に対し、不安定振動を加えた場合、安定した独楽様の回転を維持することができないため、不安定振動を生むような回転軸の形状自体があり得ない。本発明は、独楽形の回転軸の接地面を水平に切断して、従来の独楽形の独楽様の回転に対し、意図的に強度の不安定振動を発生させ、独楽様の回転力と不安定振動力の臨界点が均衡する領域で、独楽様の回転を続けることができる独楽形の回転軸の形状を提供する【解決手段】独楽様の秩序的な安定回転が可能な独楽形において、独楽形の円盤より下部の回転軸の接地部に、形状を直円柱にした不安定振動発生部を配し、独楽形の円盤より下部の回転軸と独楽形の円盤の底面との接続部から、不安定振動発生部の直円柱の上面までに、形状を上面の直径が底面の直径より大きい円錐台にした均衡発生部を配した形状を特徴とする。【選択図】図１
2019150271.tif 000002
【特許請求の範囲】
【請求項１】
独楽様の秩序的な安定回転が可能な独楽形において、独楽形の円盤より下部の回転軸の接地部に、形状を直円柱にした不安定振動発生部を配し、独楽形の円盤より下部の回転軸と独楽形の円盤底面との接続部から、不安定振動発生部の直円柱の上面までに、形状を上面の直径が底面の直径より大きい円錐台にした均衡発生部を配した形状を特徴とする、独楽形の回転軸。
【発明の詳細な説明】
【技術分野】
【０００１】
この発明は、独楽形の独楽様の強力な安定回転力と不安定振動力が、双方の臨界点で均衡した創発を得て、独楽様の強力な振動回転を続けることができる独楽形の回転軸の形状に関する。
【背景技術】
【０００２】
従来の独楽形の回転軸は、秩序的で安定した独楽様の回転を維持することを条件として開発されているため、独楽形の回転軸の接地部は、摩擦係数を減少させるのが常識であり、図６に示すように、一般的な独楽形の回転軸は、接地部を鋭角な逆円錐型尖端にするなどして、接地面との摩擦係数を減少させ、独楽形の秩序的な独楽様の回転力が、少なからず起こる不安定振動を完全に制圧する設計となっている。
従って、図７に示すように、その独楽形の回転軸の接地部を水平に切断して摩擦係数を最大にして回転させれば、切断された接地部の接地面円周上の角に、不確定で不秩序な強い不安定振動を招き起こすことができる。
しかし、その不安定振動が、秩序的な独楽様の回転力を凌駕するため、独楽形の秩序的な独楽様回転は崩壊し、不確定な場所に移動し不秩序な運動を起こしながら、独楽様の回転運動を停止するのであり、強力な独楽様の回転力と不安定振動力が臨界点で均衡して、独楽様の回転を続けることはできない。従って、独楽形の回転軸においては、図６に示すように、回転軸の接地部の接地面積を減らすなどして、不安定振動を減少させて独楽様の回転力のみを維持するしかない。
【発明の概要】
【発明が解決しようとする課題】
【０００３】
以上の独楽形の回転軸の技術によれば、独楽形自体の安定した独楽様の回転に対し、不安定振動を加えた場合、安定した独楽様の回転を維持することができないため、不安定振動を生むような回転軸の形状自体があり得ない。
しかし、この発明は、独楽形の回転軸の接地面を水平に切断して、従来の独楽形の独楽様の回転に対し、意図的に強度の不安定振動を発生させ、独楽様の回転力と不安定振動力の臨界点が均衡する領域で、独楽様の回転を続けることができる独楽形の回転軸の形状を実現することを課題とする。
【課題を解決するための手段】
【０００４】
以上の課題を解決するために、独楽様の秩序的な安定回転が可能な独楽形において、独楽形の円盤より下部の回転軸の接地部に、形状を直円柱にした不安定振動発生部を配し、独楽形の円盤より下部の回転軸と独楽形の円盤の底面との接続部から、不安定振動発生部の直円柱の上面までに、形状を上面の直径が底面の直径より大きい円錐台にした均衡発生部を配した形状を特徴とする。
【発明の効果】
【０００５】
その手段により、秩序性のある独楽形の安定した独楽様の回転に対して、それに反する非秩序で不確定な不安定振動が不安定振動発生部に起こり、均衡発生部において、強力な独楽様の回転力と不安定振動力が臨界域にて均衡する。
その均衡は、独楽形の振る舞いが安定した独楽様の回転である秩序から、不安定振動であるカオスへ移るシステムを構成し、秩序とカオスの境界に位置する領域である「カオスの縁」を保つ状態である。それにより、独楽形の各部分の性質の単純な総和にとどまらない性質が全体として現れ、独楽形の各部分の局所的な複数の相互作用が複雑に組織化し、個別の要素の振る舞いからは予測できないようなシステムが構成され、自律的な要素が集積し組織化することにより、個々のふるまいを凌駕する高度で複雑な秩序やシステムが生じる状態である創発となる。
その結果、安定したリミット・サイクルが生まれ、臨界域に達した強力な独楽様の回転力と不安定振動力を保持して、独楽様の回転を続けることができる。また、この状態で独楽形の円盤及び回転軸が、他の物体に接触すると、独楽様の回転力及び不安定振動力が高まり、外見的には飛び踊るような躍動性と加速が生まれ、更に独楽様の回転力と不安定振動力を均衡しながら高める。
【図面の簡単な説明】
【０００６】
【図１】この発明の一実施形態を示す底面側斜視図である。
【図２】この発明の一実施形態を示す正面図である。全方向に回転軸対称である為、全方向からの側面図でもある。
【図３】この発明の一実施形態を示す平面側斜視図である。
【図４】この発明の一実施形態を示す平面図である。
【図５】この発明の一実施形態を示す底面図である。
【図６】従来技術を示す平面側斜視図・正面図である。
【図７】従来技術を示す平面側斜視図・正面図である。
【発明を実施するための形態】
【０００７】
この発明の一実施形態を、図1に示す。
この発明の一実施形態の独楽形は、独楽形の円盤1の下部に、この発明の回転軸を配置した形状である。この発明の独楽形の回転軸は、独楽形の円盤1より下部の回転軸の接地部に、形状を直円柱にした不安定振動発生部2を配し、独楽形の円盤1より下部の回転軸と独楽形の円盤の底面4との接続部から、不安定振動発生部2の直円柱の上面までに、形状を上面の直径が底面の直径より大きい円錐台にした均衡発生部3を配したものである。素材は、金属、プラスチック、木製などを問わないが、独楽様の回転が可能な強度の素材であり、一つの素材により独楽形の形状を形成した一体型である。一体型と同等の強度があれば、素材により別個に形状を形成して組み立てた組立型など、形成方法は問わない。また、独楽様の回転が可能であれば、独楽形の円盤1のサイズ及び形状は問わないが、図1の実施形態では、独楽形の円盤の底面４を薄いお椀型とし、独楽形の円盤側面５にはリング型としている。
また、独楽形の円盤1の上部に回転軸を設けてもよいが、図1の実施形態には、独楽形の円盤1の上部に回転軸を設けていない。
【実施例】
【０００８】
この実施形態であれば、意図的または機械的に回転力以外の力を加えることなく、特徴的な独楽形の回転軸の形状だけで、臨界域に達した強力な独楽様の回転力と不安定振動力を保持したまま、独楽様の回転を続けることができる。
この独楽形の円盤より下部の回転軸を親指と中指で下からはさみ、ひねりながら基板に放り投げると、安定した独楽様の回転とともに、不確定で無秩序なふるまいにて、かつ、強力な振動と加速を生み出しながら複雑で躍動的な自走を行う独楽形が実現する。また、回転が止まったときに静止して直立することも出来る。
素材をアクリルやプラスチックにすれば、軽量化が可能で、構造が簡易であり、製造も容易で簡単であり、独楽本体の直径を3から5cm程度にすれば、小さな子供でも安全で持ち運びができ、どこででも場所を問わず、ベーゴマのような遊び方や、独楽の複雑で躍動的な自走を楽しむことができる。
また、この独楽形を移動させず、意図的に定位置に留め置けば、強力な独楽様の回転力と不安定振動力の臨界点の創発能力により、強力な独楽様の振動回転力が生まれ、独楽形の回転軸には、中心への強力な収斂力と、円盤には強力な発散力、回転軸と円盤の中間には、強力な均衡力が発生する。また、この状態で独楽形の円盤及び回転軸が、他の物体に接触すると独楽様の回転力及び不安定振動力が高まり、外見的には飛び踊るような躍動性と加速が生まれ、更に独楽様の回転力と不安定振動力を高める。
【産業上の利用可能性】
【０００９】
今までに無い画期的な独楽遊びを実現できる。
今までは、安定して回転する独楽を移動させるには、独楽の回る場を傾けたり、意図的、または機械的に特別な力を加える必要があった。例えば、安定して回転する独楽の回転軸の下部に独楽ひもをかけて引っ張るなどして移動させたり、また、昔ながらの独楽遊びであるベーゴマのように中央を窪ませた競技板を用意して、安定して回転する独楽どうしを中央に移動させたり、また、安定して回転する独楽の内部に水平圧力を加えることができる電動のモーターを装備して、その圧力の方向に移動させるなどであった。
しかし、この発明により、意図的に、または機械的に独楽様の回転力以外の力を加えることなく、ただ地面に向けて独楽を回転させるだけで、独楽は安定した独楽様の回転とともに、不確定で無秩序なふるまいにて、かつ、強力な振動と加速を生み出しながら複雑で躍動的な自走を行うため、この発明を使用した独楽を使ったベーゴマ遊びには競技板も必要なく、また、ランダムに移動し、加速や躍動を楽しめる独楽遊びが、どこでもいつでも手軽に行える。
また、例えば、独楽様の回転と振動の均衡した臨界点の能力により、独楽形の回転軸におこるエネルギーが最大になる結果を招くことができ、工業などの穿孔機械の能力を飛躍的に向上させる可能性があるだけでなく、独楽形の円盤におこるエネルギーが最大になる結果を招くことができ、研磨機械や、バッティングセンターの投球機などの能力を飛躍的に向上させる可能性があるなど、独楽様の回転と振動の臨界点の能力を必要とするあらゆる産業分野に利用できる可能性がある。
また、相互に関連する複数の要因が合わさって全体としてなんらかの性質や振る舞いを見せるが、その全体としての挙動は個々の要因や部分からは明らかでないような「複雑系」に相当する「量子力学」によって動作するロボットなどの開発において、「量子」によって発生する情報を、ロボットのハードウエアにて使用するとき、ロボットなどの動力部分にある安定した秩序性に起こる回転力に対して、その複雑な情報を最大限に使用することができる状態を、この発明で作り出すことができるため、「量子」で動作する高度なロボットなどの開発に寄与できる可能性がある。もちろんロボットだけでなく、あらゆる回転力に「複雑系」を加えることで、回転力に臨界点を与える必要がある動力全てに応用が可能である。例えば、遠心分離機などの回転台の形状にこの発明を使用すると、回転力と振動力に臨界点の均衡を得ることができ、飛躍的に分離能力を向上させる可能性がある。また、発電システムの回転作動部分にこの発明を使用すれば、回転と振動に臨界点の均衡を得ることができ、飛躍的に発電能力が向上する可能性があるなど、あらゆる回転と振動の臨界点の均衡を必要とする産業に利用できる可能性がある。
また、ヒトのゲノムに 含まれる約１０万の遺伝子群の相互作用から、どのようにして身体を構成する２５４種類の異なる細胞ができあがるのかという問題において、その細胞分化が生じる安定時に「カオスの縁」が存在するとされていて、人間の生命は「カオスの縁」で存在するという仮説があり、その「カオスの縁」をこの独楽形上で実現できることから、これを応用すれば、人工生命、生命の進化、健康産業、先進医学などの研究に寄与できる可能性もある。
また、脳機能に見られるいくつかの特性を、計算機上のシミュレーションによって表現することを目指した数学モデルであるニューラルネットワークや、人間の脳に近い人工知能、高度な量子系のコンピューターなどの開発に必要な情報処理において、カオスがシステムに悪影響を及ぼす不安定振動現象であり、その量子力学などの複雑系に生まれるカオスを維持したまま、安定性だけでなく秩序性と非秩序性の均衡を得ることができる領域が「カオスの縁」であり、その実現のための数値を得るための実現モデルとして、この発明が利用できる可能性がある。
また、この発明によって起こる創発は、リミット・サイクルを生み出すのであり、そこに発生するピンクノイズの波動が脳疾患である「アルツハイマー」の治療に役立つとの研究もあり、また、癌などの超音波治療においては、超音波のリミット・サイクルが課題であり、このような「カオスの縁」にて発生する創発による効果を求める医療機器の開発にも寄与する可能性がある。
そればかりではなく、物理学や生物学、科学、エネルギー産業、人間経済・哲学、心理学、社会、気象現象など、あらゆる複雑系に対しても、この発明を実現モデルにして、創発の数値を得ることができれば、その最適化を目指す産業に利用できる可能性がある。
すなわち、この発明によって実現できた創発は「カオスの縁」の状態であり、秩序性と非秩序性の均衡によって最適化を目指すあらゆる産業に、その最適化のための数値を得るための実現モデルとして利用できる可能性がある。
【符号の説明】
【００１０】
1  独楽形の円盤            
２  独楽形の円盤より下部の回転軸の接地部（不安定振動発生部）
３  独楽形の円盤より下部の回転軸の上部（均衡発生部）
４  独楽形の円盤底面
５  独楽形の円盤側面
【図１】
2019150271.tif 000003
【図２】
2019150271.tif 000004
【図３】
2019150271.tif 000005
【図４】
2019150271.tif 000006
【図５】
2019150271.tif 000007
【図６】
2019150271.tif 000008
【図７】
2019150271.tif 000009